(57)【要約】【課題】種類が異なる複数のレンズユニットとカメラ本体との互換性を確保したカメラシステムを提供する。【解決手段】レリーズボタンの全押しにより、複数のレンズユニットで共通して、ＣＣＤで光電変換された画像信号がアナログ信号処理部，Ａ／Ｄ変換器を経てデジタル信号処理部からＹＣデータとして出力され、一旦ＲＡＭに記憶された後、接点群，端子群及びデータバスを介してカメラ本体へ送られ、メモリに書き込まれる。本体側システム制御部は、メモリからＹＣデータを読み出し、信号処理部によりリサイズすることによりサムネイル画像を生成し、このサムネイル画像とリサイズしていない主画像とをＪＰＥＧ圧縮し、Ｔａｇ情報と一緒に１個の画像ファイルとしてメモリカードに書き込む。ＹＣデータはＣＣＤの種類や信号処理の種類に依存しないデータであるから、カメラ本体側でレンズユニットに固有の処理を実施する必要がなく、互換性が確保される。【選択図】図９
2007166193.tif 000002
【特許請求の範囲】
【請求項１】
撮影レンズによって結像される光学画像を光電変換してアナログの画像信号を出力する撮像素子が内蔵されたレンズユニットと、このレンズユニットが着脱自在に装着されるカメラ本体とからなるカメラシステムにおいて、
前記レンズユニットは、前記アナログの画像信号をデジタルの画像信号に変換するＡ／Ｄ変換器と、前記デジタルの画像信号をＹＣデータに変換するＹＣ処理回路と、前記ＹＣデータをカメラ本体側に送信するユニット側通信部とを有し、
前記カメラ本体は、前記ユニット側送信部からＹＣデータを受信する本体側通信部と、前記ＹＣデータを圧縮する第１圧縮部と、この第１圧縮部により圧縮されたＹＣデータを記録媒体に記録する画像記録部とを有することを特徴とするカメラシステム。
【請求項２】
前記カメラ本体は、前記本体側通信部，第１圧縮部及び画像記録部の他に、動画像のＹＣデータを圧縮する動画像専用の第２圧縮部と、静止画撮影モードと動画撮影モードとのモード切替操作に連動して第１圧縮部と第２圧縮部とを切り替える圧縮切替部とを有することを特徴とする請求項１記載のカメラシステム。
【請求項３】
撮影レンズによって結像される光学画像を光電変換してアナログの画像信号を出力する撮像素子が内蔵されたレンズユニットと、このレンズユニットが着脱自在に装着されるカメラ本体とからなるカメラシステムにおいて、
前記レンズユニットは、前記アナログの画像信号をデジタルのＲＡＷデータに変換するＡ／Ｄ変換器と、前記ＲＡＷデータをＹＣデータに変換するＹＣ処理回路と、前記カメラ本体からの指示によって画像のデータ形式をＲＡＷデータ又はＹＣデータから選択するデータ形式選択部と、前記ＲＡＷデータとこれを現像するために必要な情報とからなるＲＡＷファイルを作成するＲＡＷファイル作成部と、前記ＲＡＷファイル又はＹＣデータをカメラ本体側に送信するとともにカメラ本体からの指示を受け付けるユニット側通信部とを有し、
前記カメラ本体は、前記ユニット側送信部へ前記指示を送信するとともにユニット側送信部からＲＡＷファイル又はＹＣデータを受信する本体側通信部と、この本体側通信部がＹＣデータを受信した場合にＹＣデータを圧縮する第１圧縮部と、前記本体側通信部がＹＣデータを受信した場合には第１圧縮部により圧縮されたＹＣデータを、また前記本体側通信部がＲＡＷファイルを受信した場合にはＲＡＷファイルをそのまま記録媒体に記録する画像記録部とを有することを特徴とするカメラシステム。
【請求項４】
前記ＲＡＷファイルは、画素数がサムネイル画像よりも大きくＲＡＷデータよりも小さい簡易表示用画像データを含むことを特徴とする請求項３記載のカメラシステム。
【請求項５】
前記レンズユニットは、前記ＲＡＷファイルを送信する際に同じ画像のＹＣデータを関連付けて送信するレンズ側制御部を有し、
前記カメラ本体は、前記ＹＣデータの画像サイズを少なくとも縮小するリサイズ部と、前記ＲＡＷファイルを受信した際には、これと関連付けて送信されたＹＣデータをリサイズ部により縮小し、この縮小したＹＣデータを圧縮してサムネイル画像を生成し、これをＲＡＷファイルに関連付けて記録媒体に記録する本体側制御部とを有することを特徴とする請求項３記載のカメラシステム。
【発明の詳細な説明】
【技術分野】
【０００１】
本発明は、種類が異なる複数のレンズユニットのうちいずれかを選択してカメラ本体に着脱自在に装着できるカメラシステムに関するものである。
【背景技術】
【０００２】
種類が異なる複数のレンズユニットのうちいずれかを選択してカメラ本体に着脱自在に装着できるカメラシステムが知られている。例えば、特許文献１記載のレンズ交換式電子カメラは、交換レンズユニットをカメラ本体に着脱自在とし、両者間をコネクタを介して信号送受信可能にしている。この交換レンズユニット側には、撮影レンズと、撮像素子と、カメラ本体側に設けられたＭＰＵの制御プログラムが格納されたＲＯＭ等が設けられており、カメラ本体側には、比較的高価な信号処理回路、ＭＰＵ等が設けられている。ＭＰＵは、交換レンズユニットに搭載されているＲＯＭやＥＥＰＲＯＭからユニット固有の制御プログラムや各種データを受け取り、これらの制御プログラムや各種データに基づいて信号処理回路における処理等を制御する。
【０００３】
また、特許文献２記載のデジタルカメラは、撮影レンズ及び撮影レンズにより結像された被写体像を光電変換する撮像素子を有する撮像部と、撮像素子からの電気信号を画像処理する画像処理部を有するカメラ本体部とを備え、前記カメラ本体部に対して撮像部が着脱可能に装着されるデジタルカメラである。そして、種類の異なる複数の撮像部を交換装着可能に構成されている。これにより、撮影目的に合った撮影レンズを備えた撮像部を選択使用すれば、前記撮影レンズに対応した最適の撮像素子が自動的に設定される。
【０００４】
また、特許文献３記載の電子カメラは、着脱可能な撮像部に、撮像素子の画素数情報あるいは色フィルタ情報等の撮像素子仕様情報を記憶する手段を設けたので、撮像部を交換したとしても、プロセス処理部において適正な信号処理を容易に行うことができる。また、撮像素子のサイズ、あるいは色フィルターの配列が変化するような場合、例えば高画質の需要を優先させるため画素数の多い撮像素子を使用したい場合やコストを優先させて低画素数の撮像素子を使用したい場合のように条件を切り替えたい場合であっても、撮像側より撮像素子の情報を提供することにより、信号処理側で柔軟に対応可能となる。
【０００５】
また、特許文献４記載のビデオカメラは、撮像素子によって撮像された撮像信号を信号処理してビデオ信号を出力する信号処理手段を備えたビデオカメラ本体と、前記撮像素子を有しビデオカメラ本体に対して着脱可能に設けられた撮像ブロックとから構成され、前記撮像ブロックは、前記ビデオカメラのセットアップを行うセットアップデータを記憶したメモリ手段を有し、前記ビデオカメラ本体は、前記メモリ手段に記憶されたセットアップデータに基づいて、前記撮像ブロックおよびビデオカメラ本体のセットアップを行う制御手段を有する。
【特許文献１】特開２０００−１７５０８９号公報
【特許文献２】特開２０００−０５０１３８号公報
【特許文献３】特許３１８４１８７号
【特許文献４】特許３５４１３８８号
【発明の開示】
【発明が解決しようとする課題】
【０００６】
上記特許文献１〜４記載の発明では、レンズユニットのレンズや撮像素子に関連する多数のパラメータをレンズユニットからカメラ本体に引き渡す必要がある上に、カメラ本体において、引き渡された情報を活用可能とするための信号処理を行う必要がある。これは、現実的に種々の製品間でバグ等も含めてレンズユニットとカメラ本体との互換性を確保するのは非常に困難である。
【０００７】
また、近年の技術開発は驚異的な速度で進んでおり、例えば、カメラ本体が発売された時点では想定し得なかったような信号処理を必要とする高性能なＣＣＤが開発された場合、このＣＣＤを搭載したレンズユニットを発売したいが、カメラ本体とのデータ互換性を確保できないので、発売できない。あるいは、新しいＣＣＤを搭載したレンズユニットに対応したカメラ本体を新たに開発し直さなければならないという問題が生じる。
【０００８】
本発明は、上記事情を考慮してなされたもので、種類が異なる複数のレンズユニットとカメラ本体との互換性を確保したカメラシステムを提供することを目的とする。
【課題を解決するための手段】
【０００９】
本発明のカメラシステムは、撮影レンズによって結像される光学画像を光電変換してアナログの画像信号を出力する撮像素子が内蔵されたレンズユニットと、このレンズユニットが着脱自在に装着されるカメラ本体とからなるカメラシステムにおいて、前記レンズユニットは、前記アナログの画像信号をデジタルの画像信号に変換するＡ／Ｄ変換器と、前記デジタルの画像信号をＹＣデータに変換するＹＣ処理回路と、前記ＹＣデータをカメラ本体側に送信するユニット側通信部とを有し、前記カメラ本体は、前記ユニット側送信部からＹＣデータを受信する本体側通信部と、前記ＹＣデータを圧縮する第１圧縮部と、この第１圧縮部により圧縮されたＹＣデータを記録媒体に記録する画像記録部とを有することを特徴とする。
【００１０】
また、前記カメラ本体は、前記本体側通信部，第１圧縮部及び画像記録部の他に、動画像のＹＣデータを圧縮する動画像専用の第２圧縮部と、静止画撮影モードと動画撮影モードとのモード切替操作に連動して第１圧縮部と第２圧縮部とを切り替える圧縮切替部とを有することを特徴とする。
【００１１】
また、撮影レンズによって結像される光学画像を光電変換してアナログの画像信号を出力する撮像素子が内蔵されたレンズユニットと、このレンズユニットが着脱自在に装着されるカメラ本体とからなるカメラシステムにおいて、前記レンズユニットは、前記アナログの画像信号をデジタルのＲＡＷデータに変換するＡ／Ｄ変換器と、前記ＲＡＷデータをＹＣデータに変換するＹＣ処理回路と、前記カメラ本体からの指示によって画像のデータ形式をＲＡＷデータ又はＹＣデータから選択するデータ形式選択部と、前記ＲＡＷデータとこれを現像するために必要な情報とからなるＲＡＷファイルを作成するＲＡＷファイル作成部と、前記ＲＡＷファイル又はＹＣデータをカメラ本体側に送信するとともにカメラ本体からの指示を受け付けるユニット側通信部とを有し、前記カメラ本体は、前記ユニット側送信部へ前記指示を送信するとともにユニット側送信部からＲＡＷファイル又はＹＣデータを受信する本体側通信部と、この本体側通信部がＹＣデータを受信した場合にＹＣデータを圧縮する第１圧縮部と、前記本体側通信部がＹＣデータを受信した場合には第１圧縮部により圧縮されたＹＣデータを、また前記本体側通信部がＲＡＷファイルを受信した場合にはＲＡＷファイルをそのまま記録媒体に記録する画像記録部とを有することを特徴とする。
【００１２】
また、前記ＲＡＷファイルは、画素数がサムネイル画像よりも大きくＲＡＷデータよりも小さい簡易表示用画像データを含むことを特徴とする。また、前記レンズユニットは、前記ＲＡＷファイルを送信する際に同じ画像のＹＣデータを関連付けて送信するレンズ側制御部を有し、前記カメラ本体は、前記ＹＣデータの画像サイズを少なくとも縮小するリサイズ部と、前記ＲＡＷファイルを受信した際には、これと関連付けて送信されたＹＣデータをリサイズ部により縮小し、この縮小したＹＣデータを圧縮してサムネイル画像を生成し、これをＲＡＷファイルに関連付けて記録媒体に記録する本体側制御部とを有することを特徴とする。
【発明の効果】
【００１３】
本発明のカメラシステムでは、レンズユニットは、撮像した画像信号をＹＣデータに変換してカメラ本体に送信し、カメラ本体は、前記ＹＣデータを受信した後、圧縮して記録媒体に記録する。前記ＹＣデータは、標準的色空間（ＪＰＥＧ圧縮前、後と同じ色空間）な８bitデータであり、このデータはＣＣＤの種類や信号処理の種類に依存しないデータであるから、カメラ本体側でレンズユニットの種類に固有の処理を実施する必要がなく、データ上の互換性が確保される。
【００１４】
また、前記カメラ本体に動画像専用の第２圧縮部を設け、静止画撮影モードと動画撮影モードとのモード切替操作に連動して第１圧縮部と第２圧縮部とを切り替えるようにすると、静止画の他に動画の画像データも圧縮して記録媒体に記録することができる。
【００１５】
また、レンズユニットは、撮像した画像信号からＲＡＷファイルを作成してカメラ本体に送信し、カメラ本体では、前記ＲＡＷファイルを受信して、そのまま記録媒体に記録する。レンズユニットに依存するＲＡＷファイルは、レンズユニット内で完成されるため、カメラ本体は、これを受け取ってそのまま保存するだけであるから、レンズユニットの種類に応じて異なる処理を行う必要がなく、レンズユニットとカメラ本体との組み合わせによってＲＡＷファイルの記録ができなくなるという不都合が生じない。
【００１６】
また、前記ＲＡＷファイルは、現像処理に手間がかかり、パーソナルコンピュータ等においても高速で再生するにはＣＰＵパワーを必要とするのに鑑み、画素数がサムネイル画像よりも大きくＲＡＷデータよりも小さい簡易表示用画像データを含むようにしたので、ＲＡＷファイル画像群の画像をスピーディに確認することができる。
【００１７】
また、前記レンズユニットは、ＲＡＷファイルを送信する際に同じ画像のＹＣデータを関連付けて送信し、カメラ本体は、受信したＹＣデータの画像サイズを縮小、圧縮してサムネイル画像を生成し、これをＲＡＷファイルに関連付けて記録媒体に記録するので、ＲＡＷファイルからサムネイル画像を生成するのに比べてはるかに効率よくサムネイル画像を生成できる。
【発明を実施するための最良の形態】
【００１８】
本発明の第１実施形態のカメラシステム１を示す図１において、カメラシステム１は、撮影光学系と撮像素子とを備えて画像信号を生成するとともに撮像素子等の仕様が異なる複数種類のレンズユニットＬ１〜Ｌｎ（ｎは自然数）と、これらのレンズユニットＬ１〜Ｌｎのうちのいずれかが交換自在に装着され、その装着されたレンズユニットから画像信号を受信してメモリカードに記録及び／又はＬＣＤに画像表示を行うカメラ本体Ｂ１とからなる。
【００１９】
以下、複数種類のレンズユニットＬ１〜Ｌｎのうち１個のレンズユニットＬ１がカメラ本体Ｂ１に装着されてカメラシステム１が構成されたとして説明する。なお、以下に説明するレンズユニットＬ１の基本的な構成は、レンズユニットＬ１〜Ｌｎの全てに共通しており、ただ撮影光学系の構成やＣＣＤが異なっていたり、これらの組み合わせが異なっている。そして、詳しくは後述するように、レンズユニットＬ１〜Ｌｎからカメラ本体Ｂ１に送信する画像データは、互換性があるＹＣデータ，ＲＡＷファイルとしている。
【００２０】
レンズユニットＬ１は、鏡胴部３及びレンズ側マウント部４からなる。前記鏡胴部３には、撮影レンズ５を含む撮影光学系６（図２参照）とＣＣＤ（撮像素子）７、及びこのＣＣＤ７を駆動させる駆動回路やＣＣＤ７から出力された画像信号の処理回路を実装する回路基板などが組み込まれ、これらはレンズ側マウント部４に設けられた接点群８に接続されている。
【００２１】
前記レンズ側マウント部４は、３個のレンズ側バヨネット爪４ａからなり、これに対応した３個の本体側バヨネット爪９ａからなる本体側マウント部９がカメラ本体Ｂ１の前面に設けられている。レンズ側マウント部４のレンズ側バヨネット爪４ａを本体側マウント部９の本体側バヨネット爪９ａに合わせて回転させると、レンズユニットＬ１がカメラ本体Ｂ１に装着され、前記接点群８が本体側マウント部９に組み込まれた端子群１０に密接して、レンズユニットＬ１とカメラ本体Ｂ１とが電気的にも接続される。
【００２２】
また、本体側マウント部９の内側には、コイルバネによって前方に付勢されたマウント蓋１１が設けられており、レンズユニット非装着時におけるカメラ本体Ｂ１内部への塵埃の侵入を防止している。また、本体側マウント部９の近傍には、ロック解除ボタン１２が設けられている。ロック解除ボタン１２を押圧操作すると、レンズユニットＬ１のロックが解除され、レンズユニットＬ１を取り外すことができる。
【００２３】
カメラ本体Ｂ１の上面には、撮影時に押圧操作されるレリーズボタン１４と、静止画撮影モード／動画撮影モード／再生モード／セットアップモードの切替え時に操作されるモード切替ダイヤル１５とが設けられている。また、カメラ本体Ｂ１の前面には、ストロボ発光部１６が設けられている。また、カメラ本体Ｂ１の後面には、撮影画像や各種設定条件が表示されるＬＣＤ１８と電源スイッチ１９（図２参照）とが設けられている。なお、レリーズボタン１４は、半押しと全押しの２段階に押し下げられ、半押しでは内部に組み込まれたスイッチＳ１がオンにされ、全押しではスイッチＳ２がオンにされる。
【００２４】
デジタルカメラ２の電気的構成を示す図２において、前記撮影光学系６には、前記撮影レンズ５の他、光量を調節する絞りなどが含まれている。撮影レンズ５によって被写体光がＣＣＤ７に結像されると、ＣＣＤ７はＣＣＤドライバ２２を介してレンズユニット用システム制御部２５（以下、システム制御部２５という）によって駆動を制御され、光学的な被写体画像を電気的な撮像信号に変換して出力する。
【００２５】
前記撮像信号はアナログ信号処理部２７に入力され、ノイズ低減や増幅等の処理が施された後、Ａ／Ｄ変換回路２８によってデジタルの画像信号（ＲＧＢのＲＡＷデータ）に変換される。以下、モード切替ダイヤル１５によってカメラシステム１が静止画撮影モードにセットされているとして説明する。
【００２６】
前記画像信号は、積算回路３０及びデジタル信号処理部３１に供給される。この積算回路３０は、被写体輝度の測定（ＡＥ用）や被写体距離の測定（ＡＦ用）を行う。これらの測定データは、データバス３２を介して撮影光学系６の絞り，フォーカスの調整やズーミングを行う絞り／フォーカス／ズーム制御部３４に送られる。
【００２７】
また、前記デジタル信号処理部３１に入力された画像信号には、現像処理等が施される。この現像処理について、図３を参照して説明する。デジタル信号処理部３１は、オフセット補正部４１，ホワイトバランス（ＷＢ）ゲイン乗算部４２，リニアマトリクス（リニアＭＴＸ）部４３，ガンマ補正部４４，同時化部４５，輪郭補正部４６，色差ＭＴＸ部４７及び積算回路４８からなる。
【００２８】
前記画像信号がスルー画表示用の画像信号である場合には、オフセット補正部４１でのダイナミックレンジの調整，ＷＢゲイン乗算部４２での純度の高い白色を得るためのＲ，Ｇ，Ｂ信号の各利得調整，リニアＭＴＸ部４３でのＹＣｒＣｂ信号への変換，さらにガンマ補正部４４での輝度調整を経て得られたＹＣデータが、シリアルドライバ５０（図２参照）により、データバス３２，接点群８及び端子群１０を通し、カメラ本体Ｂ１側へと送信され、フレームメモリ５４に所定時刻ごとに供給される。そして、フレームメモリ５４に記憶されたＹＣデータに基づく画像がＬＣＤドライバ５５を介してＬＣＤ１８にスルー画として表示される。なお、積算回路４８は、オフセット補正部４１から出力された画像信号のＲ，Ｇ，Ｂ成分をそれぞれ積算して各ゲイン量を求め、ＷＢゲイン乗算部４２に送る。
【００２９】
なお、ＷＢゲイン乗算部４２及び積算回路４８には、後述するセットアップモードで指定された画素数がパラメータとしてセットされたり、リニアＭＴＸ部４３にはトーンや彩度の設定に応じた色変換行列の行列係数がパラメータとしてセットされたり、また、シャープネスなどの設定に応じてエッジ強調用の行列係数が輪郭補正部４６にパラメータとしてセットされた後、各部で処理が行われる。
【００３０】
前記ＹＣデータは、標準的色空間（ＪＰＥＧ圧縮前、後と同じ色空間）な８bitデータとなり、このデータはＣＣＤの種類や信号処理の種類に依存しないデータとなる。したがって、カメラ本体Ｂ１側で種類が異なるレンズユニットＬ１〜Ｌｎのそれぞれに固有の処理を実施する必要がなく、データ上の互換性が確保される。
【００３１】
また、レリーズボタン１４が全押しされた場合には、ＣＣＤ７から出力された撮像信号には、前記スルー画信号のときと同様の処理がアナログ信号処理部２７からデジタル信号処理部３１のガンマ補正部４４まで施され、ＹＣデータが生成される。このＹＣデータは、同時化部４５によって同時化され、Ｙ信号は輪郭補正部４６へ、色信号（Ｃ）は色差ＭＴＸ部４７へそれぞれ供給される。
【００３２】
前記輪郭補正部４６ではＹ信号についてエッジ強調が行われ、色差ＭＴＸ部４７ではＣ信号が色差信号に変換されて、これらＹ信号及び色差信号（ＹＣデータ）が一旦ＲＡＭ４９に記憶された後、シリアルドライバ５０により、データバス３２，接点群８及び端子群１０を通し、カメラ本体Ｂ１側へと送信される。このＹＣデータは、カメラ本体Ｂ１側のデータバス５６を介してシリアルドライバ５７によってメモリ５８に書き込まれる。
【００３３】
カメラ本体側システム制御部５９（以下、システム制御部５９という）は、メモリ５８からＹＣデータを読み出し、信号処理部６０でリサイズ処理や電子ズーム処理を行ってから、静止画圧縮／伸張処理部６１で圧縮処理（例えばＪＰＥＧ）し、メディアコントローラ６２を介してメモリカード６３に書き込む。
【００３４】
また、レリーズボタン１４が全押し操作されると、撮影環境からの光量に応じてストロボ装置６５が駆動され、前記ストロボ発光部１６からストロボ光が被写体に向けて照射される。なお、前記ストロボ発光部１６はストロボ装置６５に含まれる。また、システム制御部５９は、これに接続されたレリーズボタン１４、モード切替ダイヤル１５、電源スイッチ１９の操作信号に応動し、システム制御部２５に指令を送るとともに、カメラ本体Ｂ１側の記録処理等を管制している。
【００３５】
動画の撮影を行う場合には、モード切替ダイヤル１５を操作して動画撮影モードにセットしてから、レリーズボタン１４を押圧操作する。動画の画像信号は、上記静止画の画像信号と同様の経路を経由してＹＣデータの状態でレンズユニットＬ１からカメラ本体Ｂ１へ送られた後、一旦メモリ５８に記憶される。この後、システム制御部５９は、メモリ５８からＹＣデータを読み出し、動画圧縮／伸張処理部６６で動画用の圧縮処理（例えばＭＰＥＧ−２）を行ってから、メディアコントローラ６２を介してメモリカード６３に書き込む。
【００３６】
このように、画像信号は、静止画，動画のいずれにおいても、互換性が高いＹＣデータに変換された上で、レンズユニットＬ１からカメラ本体Ｂ１側へ送られる。すなわち、種類が異なるレンズユニットＬ１〜１ｎのいずれで撮影された画像信号もＹＣデータに変換された上でカメラ本体Ｂ１側に送られるから、レンズユニットＬ１〜１ｎのいずれをカメラ本体Ｂ１に装着してもカメラ本体Ｂ１側のメモリカード６３に記憶したり、ＬＣＤ１８に表示することができる。
【００３７】
また、前記モード切替ダイヤル１５を操作してセットアップモードを選択すると、ＬＣＤ１８には、図４に示すように、セットアップ画面７０が表示され、ここで各種の設定を行うことができる。セットアップ画面７０には、上から、記録モード７１，静止画画素数７２，動画画素数７３，シャープネス７４，トーン７５，彩度７６，ＩＳＯ感度７７の順に選択項目が並んでいる。
【００３８】
例えば、記録モードでは、ＪＰＥＧ（圧縮率がNormal（２bit/pel）又はFine（４bit/pel））又はＣＣＤrawを選択できる。ＪＰＥＧを選択した場合には、上述したように、レンズユニットＬ１でＹＣデータの処理までを実施し、カメラ本体Ｂ１において、ＪＰＥＧ圧縮したデータがメモリカード６３に記録される。
【００３９】
また、前記ＣＣＤrawを選択した場合には、レンズユニットＬ１のＡ／Ｄ変換器２８から出力されたＲＡＷデータがＲＡＭ４９に記憶された後、後述するヘッダ部，Ｔａｇ情報，現像用パラメータと一緒にＲＡＷファイルとして構成され、このＲＡＷファイルがシリアルドライバ５０によりカメラ本体Ｂ１に送られ、そのままメモリカード６３に記録される。すなわち、カメラ本体Ｂ１側でレンズユニットＬ１の種類に固有の処理を実施する必要がなく、前記ＹＣデータと同様に、データ上の互換性が確保される。なお、前記ＲＡＷデータのサムネイル画像は、カメラ本体Ｂ１側で生成され、前記ＲＡＷファイルに関連付けられてメモリカード６３に記録される。
【００４０】
前記ＪＰＥＧ圧縮された静止画ファイルの構造を示す図５において、静止画ファイル８０は、Ｔａｇ情報８１，サムネイル画像８２，主画像８３から構成される。Ｔａｇ情報８１は、撮影年月日や機種名、撮影時の設定モードなどが画像付属情報として格納される。本発明はレンズユニットが自由に交換可能なカメラシステムであるから、撮影機器情報は、レンズユニット（主撮影機器）とカメラ本体（副撮影機器）の両方が記録される。
【００４１】
前記Ｔａｇ情報８１は、レンズユニットＬ１にて撮影時に自動的に生成される情報が多いので、レンズユニットＬ１側のシステム制御部２５が生成する。ただし、撮影年月日のデータについては、カメラ本体Ｂ１側にカレンダーＩＣがあるため、撮影時にカメラ本体Ｂ１からレンズユニットＬ１側に送る。また、撮影機器情報など、レンズユニットＬ１起動後に変更がない項目は、起動時にカメラ本体Ｂ１からレンズユニットＬ１に送っておく。または、カメラ本体Ｂ１からのみ得られる項目は、空欄にしたまま静止画ファイル８０を生成しておき、メモリカード６３に記録される前にカメラ本体Ｂ１側で空欄を埋めるようにしてもよい。
【００４２】
前記サムネイル画像８２は、１６０×１２０画素のＪＰＥＧ静止画データであり、主画像の画素数に依らず一定である。これは、カメラ本体Ｂ１において主画像のＹＣデータをリサイズ後、ＪＰＥＧ圧縮して生成される。主画像は、ユーザが設定した画素数、例えば２４００×１８００画素のＪＰＥＧ圧縮データであり、レンズユニットＬ１から取得したＹＣデータをＪＰＥＧ圧縮することにより生成される。
【００４３】
前記カメラ本体用システム制御部５９は、前記Ｔａｇ情報８１，サムネイル画像８２，主画像８３をメモリ５８にイメージファイルとして展開し、まとめてメモリカード６３に記録する。
【００４４】
前記ＲＡＷファイルの構成を示す図６において、ＲＡＷファイル９０は、ヘッダ部９１，Ｔａｇ情報９２，現像用パラメータ部９３，ＲＡＷ主画像９４から構成される。ヘッダ部９１は、ＲＡＷファイル９０がどのような仕様のものかを示す情報９６や、そのバージョン情報９７などが格納される。
【００４５】
前記Ｔａｇ情報９２は、前記Ｔａｇ情報８１と同様であるから説明を省略する。前記現像用パラメータ部９３は、ＲＡＷファイル９０を現像する（ＹＣデータに変換する）のに必要なパラメータ群を格納している。このパラメータ群には、ＣＣＤの種別，画素階調数，傷データ，ＲＡＷ主画像の画素数，再生エリアのオフセットとサイズ，撮影時の設定（トーン，彩度，ホワイトバランス設定，その他）などが格納されている。前記ＲＡＷ主画像９４は、Ａ／Ｄ変換した生の画像データが格納される。
【００４６】
ＲＡＷファイル９０を生成する際には、図７に示すようなサムネイルファイル１００が、カメラ本体Ｂ１側で生成され、ＲＡＷファイル９０と関連付けてメモリカード６３に記録される。前記サムネイルファイル１００の生成に必要なＹＣデータは、ＪＰＥＧ記録時と同様に、レンズユニットＬ１において信号処理されて生成されたＹＣデータがカメラ本体Ｂ１に送られ、静止画圧縮／伸長処理部６０がこれをリサイズしてＪＰＥＧ圧縮することによりサムネイル画像１０２が生成される。なお、サムネイルファイル１００にもＴａｇ情報１０１が付与されるが、これはカメラ本体Ｂ１が知得している範囲の情報のみが格納される。例えば、レンズユニットＬ１のメーカ名や機種名は、レンズユニットＬ１の起動時にカメラ本体Ｂ１のメモリ５８に転送される。
【００４７】
動画ファイルの構造を示す図８において、動画ファイル１１０は、Ｔａｇ情報１１１，サムネイル画像１１２，動画再生用パラメータ１１３及びＭＰＥＧ２主画像１１４から構成される。Ｔａｇ情報１１１，サムネイル画像１１２は、前記静止画ファイル８０と同様である。動画再生用パラメータ１１３は、画素数１１３ａやフレームレート１１３ｂなど、動画を再生するのに必要なパラメータが記録される。本実施形態では、フレームレート１１３ｂは３０フレーム／秒（ｆｐｓ）固定であり、動画の画素数は、前記セットアップ画面７０において、ＶＧＡ（６４０×４８０），ＱＶＧＡ（３２０×２４０）のいずれか一方を選択できる。ＭＰＥＧ２主画像１１４は、ＭＰＥＧ２圧縮された画像データである。
【００４８】
このように構成された第１実施形態のカメラシステム１で静止画撮影を行うには、図９のフローチャートに示すように、まずモード切替ダイヤル１５を操作してセットアップモードを選択し（ｓｔ１）、図４に示すようなセットアップ画面７０を表示する。ここで記録モード７１をＪＰＥＧ／Ｎｏｒｍａｌ、静止画画素数７２を２４００×１８００、動画画素数７３を６４０×４８０、シャープネス７４を標準、トーン７５を標準、彩度７６を強く、ＩＳＯ感度７７を２００にそれぞれ設定する（ｓｔ２）。
【００４９】
これらの設定値は、端子群１０及び接点群８を介して、カメラ本体Ｂ１からレンズユニットＬ１のデジタル信号処理部３１にセットされる（ｓｔ３）。このセット完了信号がシステム制御部２５からシステム制御部５９へ送られると、システム制御部５９からシステム制御部２５にスルー画要求信号が送られる。
【００５０】
ＣＣＤ７で光電変換された画像信号がアナログ信号処理部２７，Ａ／Ｄ変換器２８を経てデジタル信号処理部３１のガンマ補正部４４まで処理され、ＹＣデータとしてデジタル信号処理部３１からＲＡＭ４９に一旦記憶されてから、シリアルドライバ５０によって接点群８及び端子群１０を介してフレームメモリ５４に格納される。このフレームメモリ５４からＹＣデータが３０フレーム／秒の間隔で読み出され、ＬＣＤドライバ５５を介してＬＣＤ１８にスルー画として表示される（ｓｔ４）。
【００５１】
ＬＣＤ１８を観察しながらフレーミングを行い、レリーズボタン１４を半押しする（スイッチＳ１がオン）と、その瞬間に撮像された画像信号に基づいて積算回路３０が被写体輝度の測定や被写体距離の測定を行い、これらＡＥ用，ＡＦ用の測定データがデータバス３２を介して絞り／フォーカス／ズーム制御部３４に送られる（ｓｔ５）。
【００５２】
レリーズボタン１４が全押しされる（スイッチＳ２がオン）と（ｓｔ６）、その瞬間に撮像された画像信号が同時化及び輪郭補正等の処理を経てデジタル信号処理部３１からＹＣデータとして出力され（ｓｔ７）、一旦ＲＡＭ４９に記憶された後、接点群８，端子群１０及びデータバス５６を介してシリアルドライバ５７によってメモリ５８に書き込まれる（ｓｔ８）。
【００５３】
一方、システム制御部２５で撮影年月日や機種名，撮影時の設定モードなどのＴａｇ情報８１が生成され（ｓｔ９）、カメラ本体Ｂ１側へ転送されてメモリ５８に書き込まれる（ｓｔ１０）。システム制御部５９は、メモリ５８からＹＣデータを読み出し、信号処理部６０によりリサイズすることによりサムネイル画像を生成し（ｓｔ１１）、このサムネイル画像とリサイズしていない主画像とを静止画圧縮／伸張処理部６１によりＪＰＥＧ圧縮することにより、１６０×１２０画素のサムネイル画像と２４００×１８００画素の主画像とを生成し（ｓｔ１２）、前記Ｔａｇ情報８１と一緒に１個の画像ファイルとしてメディアコントローラ６２を介してメモリカード６３に書き込む（ｓｔ１３）。
【００５４】
また、図１０に示すように、セットアップモードで（ｓｔ２１）、記録モードとしてＣＣＤrawを選択した場合には（ｓｔ２２）、本露光により（ｓｔ２３）、Ａ／Ｄ変換器２８から出力されたＲＡＷデータがＲＡＭ４９に記憶されるとともに（ｓｔ２４）、前記ＲＡＷデータがデジタル信号処理部３１によってサムネイル画像用のＹＣデータに変換される（ｓｔ２５）。このＹＣデータとＲＡＷデータが接点群８及び端子群１０を介してメモリ５８に書き込まれる（ｓｔ２６）。
【００５５】
一方、システム制御部２５で生成されたＴａｇ情報９２（ｓｔ２７）がカメラ本体Ｂ１に転送され、メモリ５８に書き込まれる（ｓｔ２８）。システム制御部５９は、メモリ５８からＹＣデータを読み出し、信号処理部６０でリサイズすることにより１６０×１２０画素のサムネイル画像を生成し（ｓｔ２９）、このサムネイル画像を静止画圧縮／伸張処理部６１によりＪＰＥＧ圧縮する（ｓｔ３０）。このサムネイル画像はカメラ本体Ｂ１側で知得されたＴａｇ情報１０１と一緒にされ、サムネイルファイル１００になる。
【００５６】
前記ＲＡＷデータに、前記Ｔａｇ情報９２やヘッダ部９１，現像用パラメータが付加されることによりＲＡＷファイル９０とされ、このＲＡＷファイル９０とサムネイルファイル１００とが関連付けされてメディアコントローラ６２を介してメモリカード６３に書き込まれる（ｓｔ３１）。
【００５７】
次に、本発明の第２実施形態を説明する。なお、上記第1実施形態と同じ部材には同じ符号を付し、説明を省略する。図１１に示すように、レンズユニットＬ２は、前記レンズユニットＬ１にＪＰＥＧ圧縮部１２０を付加したものである。ＪＰＥＧ圧縮部１２０は、セットアップモードでＣＣＤrawが選択された場合に、デジタル信号処理部３１からリサイズして出力されたＹＣデータをＪＰＥＧ圧縮して簡易表示用の画像データ（以下、簡易表示用データという）を作成し、これをＲＡＭ４９に格納する。
【００５８】
前記簡易表示用データの画素数は、一般的なサムネイル画像の１６０×１２０画素よりも大きいメガピクセルの１２８０×９６０画素であるから、明瞭にＲＡＷファイルの画像を確認できる。また、前記簡易表示用データは、ＲＡＷファイルに比べてデータサイズがはるかに小さいので、ＲＡＷファイルの全体のファイルサイズに影響を与えることがない。
【００５９】
図１２に示すように、前記ＲＡＭ４９に格納された簡易表示用画像１２８は、システム制御部２５が生成したＴａｇ情報１０１，ＪＰＥＧ圧縮部１２０で圧縮されたサムネイル画像１０２と一緒に、簡易表示用画像ファイル１２７として構成され、ＲＡＷファイル１２５に組み込まれる。
【００６０】
図１３に示すように、セットアップモードで（ｓｔ４１）ＣＣＤrawを選択した場合には（ｓｔ４２）、本露光により（ｓｔ４３）、Ａ／Ｄ変換器２８から出力されたＲＡＷデータがＲＡＭ４９に記憶されるとともに（ｓｔ４４）、前記ＲＡＷデータがデジタル信号処理部３１によってＹＣデータに変換され、リサイズされる（ｓｔ４５）。このＹＣデータは一旦ＲＡＭ４９に記憶される。
【００６１】
一方、システム制御部２５がＴａｇ情報９２を生成する（ｓｔ４６）。また、デジタル信号処理部３１がＹＣデータをリサイズしてサムネイル画像１０２（ｓｔ４７）と簡易表示用画像１２８（ｓｔ４８）とを生成する。これらサムネイル画像１０２，簡易表示用画像１２８はＪＰＥＧ圧縮部１２０で圧縮される（ｓｔ４９）。また、システム制御部２５がＣＣＤ７の種別等から現像用パラメータ群を生成する（ｓｔ５０）。
【００６２】
システム制御部２５は、Ｔａｇ情報９２とサムネイル画像１０２と簡易表示用画像１２８とから簡易表示用画像ファイル１２７を作成するとともに、この簡易表示用画像ファイル１２７，ヘッダ部９１，現像用パラメータ部９３及びＲＡＷ主画像９４をＲＡＭ４９にイメージファイルとして展開し（ｓｔ５１）、まとめてカメラ本体Ｂ１に送る。
【００６３】
カメラ本体Ｂ１では、ＲＡＷファイル１２５のイメージファイルを一旦メモリ５８に格納した後（ｓｔ５２）、メモリカード６３に記録する（ｓｔ５３）。なお、ステップｓｔ５４〜５８は、セットアップモードにおいて記録モードをＪＰＥＧとした場合のシーケンスであり、前記第１実施形態と同様であるから説明を省略する。
【００６４】
以上説明した実施形態では、サムネイル画像の画素数を１６０×１２０画素とし、簡易表示用画像の画素数を１２８０×９６０画素としたが、本発明はこれらの数値に限定されないことは勿論である。また、上記実施形態は、カメラシステムとしてデジタルカメラを採用した例であったが、本発明はこれに限定されることなく、例えばカメラ付き携帯電話やムービーカメラでもよい。
【図面の簡単な説明】
【００６５】
【図１】本発明のカメラシステムを示す外観斜視図である。
【図２】第１実施形態のカメラシステムの電気的構成を示すブロック図である。
【図３】デジタル信号処理部の構成を示すブロック図である。
【図４】セットアップ用画面の例を示す説明図である。
【図５】ＪＰＥＧ圧縮された静止画ファイルの構造を示す説明図である。
【図６】ＲＡＷファイルの構造を示す説明図である。
【図７】サムネイルファイルの構造を示す説明図である。
【図８】動画ファイルの構造を示す説明図である。
【図９】第１実施形態でＪＰＥＧ圧縮された静止画撮影を行う際のシーケンスを示すフローチャートである。
【図１０】第１実施形態で記録モードとしてＣＣＤrawを選択した場合のシーケンスを示すフローチャートである。
【図１１】第２実施形態のカメラシステムの電気的構成を示すブロック図である。
【図１２】第２実施形態のＲＡＷファイルの構造を示す説明図である。
【図１３】第２実施形態で記録モードとしてＣＣＤrawを選択した場合のシーケンスを示すフローチャートである。
【符号の説明】
【００６６】
１  カメラシステム
４  レンズ側マウント部
５  撮影レンズ
７  ＣＣＤ
８  接点群
９  本体側マウント部
１０  端子群
１５  モード切替ダイヤル
１８  ＬＣＤ
２５  レンズユニット用システム制御部
２８  Ａ／Ｄ変換器
３１  デジタル信号処理部
４１  オフセット補正部
４２  ＷＢゲイン乗算部
４３  リニアＭＴＸ部
４４  ガンマ補正部
４５  同時化部
４６  輪郭補正部
４７  色差ＭＴＸ部
４９  ＲＡＭ
５４  フレームメモリ
５８  メモリ
５９  カメラ本体用システム制御部
６０  信号処理部
６１  静止画圧縮／伸長処理部
６３  メモリカード
６６  動画圧縮／伸長処理部
８０  静止画ファイル
８１，９２，１０１，１１１  Ｔａｇ情報
８２，１０２，１１２  サムネイル画像
８３  主画像
９０，１２５  ＲＡＷファイル
９１  ヘッダ部
９３  現像用パラメータ部
９４  ＲＡＷ主画像
１００  サムネイルファイル
１１０  動画ファイル
１１３  動画再生用パラメータ
１１４  ＭＰＥＧ２主画像
１２０  ＪＰＥＧ圧縮部
１２７  簡易表示用画像ファイル
１２８  簡易表示用画像
Ｂ１  カメラ本体
Ｌ１〜Ｌｎ  レンズユニット
【図１】
2007166193.tif 000003
【図２】
2007166193.tif 000004
【図３】
2007166193.tif 000005
【図４】
2007166193.tif 000006
【図５】
2007166193.tif 000007
【図６】
2007166193.tif 000008
【図７】
2007166193.tif 000009
【図８】
2007166193.tif 000010
【図９】
2007166193.tif 000011
【図１０】
2007166193.tif 000012
【図１１】
2007166193.tif 000013
【図１２】
2007166193.tif 000014
【図１３】
2007166193.tif 000015